(57)【要約】      （修正有）【課題】地震で目地部が大幅に狭くなった場合でも、ラックや躯体が損傷せずに地震動を吸収できる目地装置用中央維持部材を提供する。【解決手段】躯体の目地部を塞ぐ目地装置に用いる目地装置用中央維持部材１であって、目地装置用中央維持部材１は、左右の躯体にそれぞれ取り付けられた一対のラック７と、それぞれのラック７と噛み合い、その中心部が常に目地部の略中央部に位置するピニオン９と、ラック７とピニオン９が常に噛み合い状態となるように支持する支持部材１０とで構成され、ピニオン９の中央部には、目地プレートを取付ける目地プレート取り付け手段２４を備え、ラック７は、ラック本体１２と、ラック本体１２と接続部材１３を介して回転可能に接続された接続片１４から成り、接続片１４は、対向する躯体の壁面に当接して、押圧された場合は接続部材１３の回転軸１６を支点に折れ曲がり、押圧状態が解除されると、通常状態に復帰する。【選択図】図１
2018035557.tif 000002
【特許請求の範囲】
【請求項１】
左右の躯体の目地部を塞ぐ目地装置に用いられる目地装置用中央維持部材であって、該目地装置用中央維持部材は、前記左右の躯体にそれぞれ取り付けられた一対のラックと、該一対のラックとそれぞれ噛み合い、その中心部が常に目地部の略中央部に位置するピニオンと、前記一対のラックと前記ピニオンとが常に噛み合い状態となるように支持する支持部材とで構成され、前記ピニオンの中央部に位置する部位には、前記目地プレートを取付ける目地プレート取り付け手段を備え、前記ラックは、ラック本体と、該ラック本体と接続部材を介して回転可能に接続された接続片から成り、該接続片は、対向する躯体の壁面に当接して、押圧された場合には、前記接続部材の回転軸を支点に接続片が折れ曲がり、一方、前記押圧された状態が解除されると、通常状態に復帰することを特徴とする目地装置用中央維持部材。
【請求項２】
接続片の突出端部には、湾曲部が形成されていることを特徴とする請求項１に記載の目地装置用中央維持部材。
【請求項３】
前記一対のラックは、前記ピニオンの中心部を基点として水平状態で回転対称に設けられていることを特徴とする請求項１又は請求項２のいずれかに記載の目地装置用中央維持部材。
【発明の詳細な説明】
【技術分野】
【０００１】
本発明は目地部を介して設けられた躯体の間の目地部を塞ぐ目地装置に用いられ、目地プレートや目地プレート取付部材等を、常に目地部の中央に位置させる目地装置用中央維持部材に関する。
【背景技術】
【０００２】
従来、天井間や壁面間の目地部を塞ぐ目地装置の目地プレートを常に目地部の中央部に位置させる中央維持機構としては、「後端部が前記目地部側の左右の床躯体に枢支ピンで先端部が水平方向に回動できるように取付けられた一対のラックと、この一対のラックと前記目地部２の中央部で噛み合うピニオンと、このピニオンを回転可能に支持するとともに、前記支持アームを枢支する枢支ピンが取付けられ、かつ前記ラックを該ピニオンとの噛み合いを保つように支持する支持部材とで構成されている中央維持機構」が知られている（例えば特許文献１）。
【０００３】
しかしこのような中央維持機構では、地震によって目地部が大幅に狭くなった場合には、対向する躯体の壁面にラックの先端部が衝突し、躯体若しくはラック又はその両方が破損してしまい、目地装置がその機能を発揮できなくなるおそれがあった。
【０００４】
また、多数の枢支部を有するパンタグラフを中央維持機構として用いた場合には、各枢支部間の遊びによって、パンタグラフの中央部が目地部の中央部からずれてしまうおそれがあった。
【先行技術文献】
【特許文献】
【０００５】
【特許文献１】特開２０１１−２２６１５０号公報
【発明の概要】
【発明が解決しようとする課題】
【０００６】
本発明は以上のような従来の欠点に鑑み、地震によって目地部が大幅に狭くなった場合であっても、ラックや躯体が損傷することなく地震による揺れ動きを吸収できる目地装置用中央維持部材を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の目地装置用中央維持部材は、左右の躯体の目地部を塞ぐ目地装置に用いられる目地装置用中央維持部材であって、該目地装置用中央維持部材は、前記左右の躯体にそれぞれ取り付けられた一対のラックと、該一対のラックとそれぞれ噛み合い、その中心部が常に目地部の略中央部に位置するピニオンと、前記一対のラックと前記ピニオンとが常に噛み合い状態となるように支持する支持部材とで構成され、前記ピニオンの中央部に位置する部位には、前記目地プレートを取付ける目地プレート取り付け手段を備え、前記ラックは、ラック本体と、該ラック本体と接続部材を介して回転可能に接続された接続片から成り、該接続片は、対向する躯体の壁面に当接して、押圧された場合には、前記接続部材の回転軸を支点に接続片が折れ曲がり、一方、前記押圧された状態が解除されると、通常状態に復帰することを特徴とする。
【発明の効果】
【０００９】
以上の説明から明らかなように、本発明にあっては次に列挙する効果が得られる。
（１）請求項１に記載の発明においては、ラックが、ラック本体と、該ラック本体と接続部材を介して回転可能に接続された接続片から成り、該接続片が対向する躯体の壁面に当接した場合に、前記枢支ピンを支点に接続片が折れ曲がると共に、当接状態が解除されると、通常状態に復帰するので、地震によって目地部が大幅に狭くなった場合であっても、枢支ピンを支点に接続片が折れ曲がることによってラックや躯体が損傷することなく地震による揺れ動きを吸収することができる。
（２）請求項２に記載の発明においても、前記（１）と同様な効果が得られるとともに、接続片に湾曲部を形成しているので、接続片が躯体に当接した場合に、スムーズに折れ曲がることができる。
（３）請求項３に記載の発明においても、前記（１）、（２）と同様な効果が得られる。
【図面の簡単な説明】
【００１０】
図１乃至図８は本発明の第１の実施形態を示す説明図である。
図９乃至図１２は本発明の第２の実施形態を示す説明図である。
【図１】第１の実施形態の目地装置用中央維持部材の平面図。
【図２】目地プレート用中央維持装置の正面図。
【図３】ラックの動作説明図。
【図４】使用状態の平面図。
【図５】図４の５−５線断面図。
【図６】地震で目地部が狭くなった状態の動作説明図。
【図７】地震で目地部が狭くなった状態の平面図。
【図８】地震で目地部が広くなった動作説明図。
【図９】第２の実施形態の目地装置用中央維持部材の平面図。
【図１０】目地プレート用中央維持装置の正面図。
【図１１】使用状態の平面図。
【図１２】図１１の１２−１２線断面図。
【発明を実施するための形態】
【００１１】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置される目地装置５に用いられる目地プレート６や目地プレート取付部材等を、常に目地部２の中央に位置させる目地装置用中央維持部材である。
【００１２】
本実施の形態の使用状態においては、目地プレート６の中央部を、常時目地部２の中央部に位置させる目的で使用する場合について説明する。
なお、左右方向とは図１における左右方向であり、前後方向とは図１における上下方向をいい、上下方向とは図２における上下方向をいう。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１３】
この目地装置用中央維持部材１は、前記左右の躯体３、４にそれぞれ取り付けられ、その一側面に歯部８が形成された一対のラック７と、該一対のラック７の歯部８とそれぞれ噛み合い、その中心部が常に目地部の中央部に位置するピニオン９と、前記一対のラック７と前記ピニオン９とが常に噛み合い状態となるように支持する箱型の支持部材１０とで構成されている。
【００１４】
前記一対のラック７は、その基端部が左右の躯体３、４のいずれか一方に取付具１１を介して取り付けられており、前後方向の一側面には、前記ピニオン９と噛みあう歯部８が形成されている。この歯部８は対となるラック７と対向する面に形成されており、これらの一対のラック７に挟まれる形で前記ピニオン９が噛み合い状態となる。
なお、この一対のラック７は、前記ピニオン９の中心部（中心軸２１の中央）を基点として、水平状態で回転対称に設けられている。
【００１５】
このラック７は、ラック本体１２と、このラック本体１２と接続部材１３を介して回転可能に接続された接続片１４とで構成されている。
【００１６】
ラック本体１２の一側面には、歯部８ａが形成されており、ラック本体１２の突出端部は、略４５度の傾斜面状の接続部材取付部１２ａが形成されている。
前記接続片１４は、ラック本体１２に接続部材１３を介して前後方向に回転可能に接続されており、その接続端部は、略４５度の傾斜面状の接続部材取付部１４ａが形成されている。接続片１４の一側面には歯部８ｂが形成されており、この歯部８ｂは前記ラック本体１２の歯部８ａと連続するように形成されている。
【００１７】
また、この接続片１４の突出端部には湾曲部１５が形成されており、この湾曲部１５によって、地震によって目地部が狭くなり、接続片１４の突出端部（湾曲部１５）が対向する躯体３、４に当接した際に、抵抗なく屈曲させることができる。
【００１８】
前記接続部材１３は、回転軸１６と、この回転軸１６に回転可能に設けられた複数個、本実施の形態においては、３つの平面視略涙滴型の取り付け片１７とで構成されている。
この３つの取り付け片１７は、上下の２つの取り付け片１７が前記ラック本体１２に溶接等で固定され、中間の取り付け片１７が前記接続片１４に溶接等で固定される。
この取り付け片１７は、平面視略涙滴型に形成されおり、ラック本体１２等を取付ける側面には、円弧部側へ若干突出するように取付部１８が形成されている。
【００１９】
このラック７には復帰機構１９が設けられており、この復帰機構１９は、通常状態に置いては前記ラック本体１２と接続片１４が略一直線となるように保持するとともに、地震によって目地部２が狭くなり、接続片１４が対向する躯体に当接し、折れ曲がった後、目地部が通常状態になると、前記ラック本体１２と接続片１４が略一直線となるよう通常状態に復帰させるものである。
【００２０】
この復帰機構１９は、前記接続片１４の突出端部付近に設けられ、接続片１４が折れ曲がる方向と反対側に付勢する付勢具２０（本実施の形態においてはコイルスプリング及びワイヤー）と、前記接続部材１３の取り付け片１７の取付部１８の突出端部１８ａとで構成されている。
【００２１】
付言すると、取り付け片１７の取付部１８の突出端部１８ａは、ラック本体１２と接続片１４が略一直線となった状態（通常状態）では、取付部１８の突出端部１８ａ同士が当接し、それ以上歯部８の側へ接続片１４が折れ曲がることを防止するストッパーの役割を果たす。
【００２２】
なお、取付部１８を形成せず、歯部８の形状をしたストッパー等をこの接続部分に設けてもよいし、接続部材１３に別途ストッパーを設けてもよい。
ピニオン９は、その中心部には中心軸２１が設けられており、この中心軸２１が後述する支持部材１０に回転自在に取り付けられる。
また、ピニオン９の外周には、前記ラック７の歯部８と噛み合う歯２２が形成されている。
【００２３】
支持部材１０は、両側面が開口した箱状に形成されており、この両側面の開口部２３から一対のラック７が挿入される。また、この支持部材１０の内部の中央部には、前記ピニオン９の中心軸２１が係合され、ピニオン９が回転自在に取り付けられる。
この支持部材１０の中心にピニオン９を設け、そのピニオン９に噛み合い、かつ、ピニオン９の中心部分が目地部２の中心部に位置するように一対のラック７を設けることにより、目地部２が広狭しても、ピニオン９の中心軸２１が常時目地部２の中央部に位置する。
なお、使用状態においては、ピニオン９の中心軸２１の同軸上には、目地プレート６や目地プレート取付部材等が取り付けられる取付手段２４が設けられている。
【００２４】
この目地プレート用中央維持装置１を目地装置５に使用した場合について、図４乃至図８に基づいて説明する。本実施の形態においては、床用目地装置５に用いられた場合について説明する。
【００２５】
本発明の目地装置用中央維持部材１を用いた床用目地装置５は、左右の躯体３、４にその両端がそれぞれ固定された複数個、本実施の形態においては、４つの目地装置用中央維持部材１と、該目地装置用中央維持部材１の中央部に設けられた取付ピン２４に取り付けられた目地プレート６と、左右の躯体３、４の床面にそれぞれ上下方向に移動可能に設けられ、その上面が前記目地プレート６の上面と略フラットとなるように設けられた一対のカバープレート２５とで構成されている。
【００２６】
前記目地プレート６は、方形状の金属板で、左右方向の中央部に前記取付ピン２３が取り付けられており、左右方向の中央部が常時目地部２の中央に位置する。
また、目地プレート６の左右方向の端部には、前記カバープレート２４を上方へ押し上げる押し上げ傾斜面２６が形成されている。
【００２７】
前記カバープレート２５は、方形状の金属板で、左右の躯体３、４の床面に形成された凹所状のプレート支持部２７に上下方向に移動可能に設けられている。プレート支持部２７は、カバープレート２５の板厚と略同じ深さに形成されており、これにより、目地プレート６の上面、カバープレート２５の上面及び左右の躯体３、４の床面が略フラットとなる。
【００２８】
プレート支持部２７にはピン挿入孔２８が形成されており、カバープレート２５の躯体側の端部付近に設けられたピン２９が前記ピン挿入孔２８に挿入されている。
なお、このピン２９の長さ寸法は、カバープレート２５の板厚よりも長くなるように形成されている。
【００２９】
カバープレート２５の目地部側の端部には、前記押し上げ傾斜面２６と対応する乗り上げ傾斜面３０が形成されている。
【００３０】
地震で左右の躯体３、４が左右方向に揺れ動き目地部２が狭くなると、図６に示すように、左右一対のカバープレート２５の乗り上げ傾斜面３０は、前記目地プレート６の押し上げ傾斜面２６によって上方に押し上げられ、地震による揺れ動きを吸収する。
この時、目地装置用中央維持部材１のラック７の接続片１４は、対向する躯体３、４の壁面にその湾曲部１５が押圧され、接続片１４が接続部材１３の回転軸１６を支点に折れ曲がり、地震による揺れ動きを吸収する。
【００３１】
地震による揺れ動きが収まると、前記接続片１４は、復帰機構１９の付勢具２０の付勢力によって、ラック本体１２と接続片１４が略一直線の状態（通常状態）に復帰させる。なお、取付部１８の突出端部１８ａ同士が当接しストッパーの役割を果たし、それ以上歯部８の側へ接続片１４が折れ曲がることを防止する。
【００３２】
地震で躯体３、４が左右方向に揺れ動き目地部２が広くなると、図８に示すように、目地プレート６とカバープレート２５が離間して揺れ動きを吸収し、地震による揺れ動きが収まると、元の状態に自動的に戻る。
【００３３】
この時、目地プレート６とカバープレート２５は離間するが、この隙間にはプレート支持部２７が位置するので、目地プレート６やカバープレート２５の板厚分の段差が短時間生じるだけであり、目地部２が開口することはない。
また、目地装置用中央維持部材１は、一対のラック７が離間する方向に移動するとともに、ピニオン９が回転して揺れ動きを吸収する。
【００３４】
なお、本実施の形態においては、ラック７はその取付端部が左右の躯体３、４にそれぞれ固定的に取り付けられているが、ラック７の取付端部を前後方向に回動可能に左右の躯体３、４に取付けてもよい。
【００３５】
[発明を実施するための異なる形態]
次に、図９乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３６】
図９乃至図１２に示す本発明を実施するための第２の形態において、前記本発明を実施するための第１の形態と主に異なる点は、突出端部に湾曲部を備えない接続片１４Ａを用いたラック７Ａにした点で、このような目地装置用中央維持部材１Ａにしても、前記本発明を実施するための第１の形態と同様の作用効果を得ることができる。
【００３７】
この場合、接続片１４Ａの突出端部は角張っていてもよいが、Ｒ面取り加工すると、接続片１４Ａが躯体の壁面に押圧された場合に、よりスムーズに折れ曲がることができる。
本実施の形態においては、目地装置用中央維持部材１Ａを浅皿状の目地プレート６Ａを用いた目地装置５Ａ（床用目地装置）に用いている。
【００３８】
前記目地プレート６Ａは、浅皿状の目地プレート本体３１と、該目地プレート本体３１に充填されたモルタルあるいはコンクリート３２と、このモルタルあるいはコンクリート３２の上面に貼り付けられた大理石等のタイルやレンガ等の床化粧板３３と、目地プレート本体３１の左右端部にヒンジ部材３４を介して設けられたカバー板３５とで構成される。
【００３９】
この目地プレート６Ａは、その左右方向の中央部に目地装置用中央維持部材１Ａの取付ピン２４Ａが固定されている。なお、本実施の形態においては、この取付ピン２４Ａは、ピニオン９の中心軸２１を兼ね、かつ、上下方向に移動可能に設けられている。
【００４０】
また、左右の躯体には、この目地プレート６Ａが設置される目地プレート支持部３６が形成される。この目地プレート支持部３６端部には、傾斜面３７が形成されており、地震によって目地部２が狭くなった場合には、この傾斜面３７によって、目地プレート６Ａが上方へせり上がる。
【００４１】
本発明の実施形態においては、床用目地装置に用いるものについて説明したが、壁面用目地装置や天井用目地装置の中央維持部材として用いてもよく、特許文献１のような床用目地装置やその他の公知な構成の床用目地装置に用いてもよい。
【００４２】
また、本発明の実施形態においては、ピニオンの中心軸の同軸上設けられた取付ピンに目地プレートを直接取り付けたものについて説明したが、特許文献１のように、目地プレートを取付ける取付部材（支持アーム）を取付ピンに取付けてもよい。
【産業上の利用可能性】
【００４３】
本発明は目地プレート用中央維持装置を製造する産業で利用される。
【符号の説明】
【００４４】
１、１Ａ：目地プレート用中央維持装置、
２：目地部、                        ３：一方の躯体、
４：他方の躯体、                    ５、５Ａ：目地装置、
６、６Ａ：目地プレート、            ７、７Ａ：ラック、
８：歯部、                          ９：ピニオン、
１０：支持部材、                    １１：取付具、
１２：ラック本体、                  １３：接続部材、
１４、１４Ａ：接続片、              １５：湾曲部、
１６：回転軸、                      １７：取り付け片、
１８：取付部、                      １９：復帰機構、
２０：付勢具、                      ２１：中心軸、
２２：歯、                          ２３：開口部、
２４、２４Ａ：取付手段、            ２５：カバープレート、
２６：押し上げ傾斜面、              ２７：プレート支持部、
２８：ピン挿入孔、                  ２９：ピン、
３０：乗り上げ傾斜面、              ３１：目地プレート本体、
３２：モルタルあるいはコンクリート、３３：床化粧板、
３４：ヒンジ部材、                  ３５：カバー板、
３６：目地プレート支持部、          ３７：傾斜面。
【図１】
2018035557.tif 000003
【図２】
2018035557.tif 000004
【図３】
2018035557.tif 000005
【図４】
2018035557.tif 000006
【図５】
2018035557.tif 000007
【図６】
2018035557.tif 000008
【図７】
2018035557.tif 000009
【図８】
2018035557.tif 000010
【図９】
2018035557.tif 000011
【図１０】
2018035557.tif 000012
【図１１】
2018035557.tif 000013
【図１２】
2018035557.tif 000014